(57)【要約】【課題】  小型化が可能で製造コストを低減することができる光分波装置を提供する。【解決手段】  光ファイバ４と発光器７との間には第１のフィルタ板２を斜めに傾斜した状態で配置する。そして、第１のフィルタ板２は、光ファイバ４からの光信号Ｓ1，Ｓ2を反射し、発光器７からの光信号Ｓ3を透過する。また、第２のフィルタ板３は、第１のフィルタ板２に平行な状態に保持しつつ、光信号Ｓ1〜Ｓ2の光軸から外れた位置に配置する。そして、第２のフィルタ板３は、光信号Ｓ1を透過し、光信号Ｓ2を反射する。これにより、光ファイバ４から第１のフィルタ板２に入射された光信号Ｓ1，Ｓ2のうち、光信号Ｓ1は第２のフィルタ板３を透過して受光器８によって受光され、光信号Ｓ2は第１，第２のフィルタ板２，３間を複数回反射して受光器９によって受光されるから、２枚のフィルタ板２，３を近付けて配置できる。【選択図】        図１
2005352065.tif 000002
【特許請求の範囲】
【請求項１】
互いに異なる波長帯の第１，第２の光信号を反射する第１のフィルタ板と、該第１のフィルタ板と略平行な状態で対向し前記第１，第２の光信号のうちいずれか一方を透過し他方を反射する第２のフィルタ板と、該第１，第２のフィルタ板の間に前記第１，第２の光信号を出射する光信号出射器と、該光信号出射器が出射した第１，第２の光信号のうち前記第２のフィルタ板を透過した一方の光信号を受光する第１の受光器と、前記光信号出射器が出射した第１，第２の光信号のうち前記第１，第２のフィルタ板の間を複数回反射した他方の光信号を受光する第２の受光器とによって構成してなる光分波装置。
【請求項２】
前記第１のフィルタ板は、前記第１，第２の光信号と波長帯の異なる第３の光信号を透過する構成とし、
該第１のフィルタ板を挟んで前記光信号出射器の反対側には前記光信号出射器に向けて第３の光信号を発光する発光器を設けてなる請求項１に記載の光分波装置。
【請求項３】
鏡板と、該鏡板と非平行な状態で対向し入射角度に応じて透過する光信号の波長帯が変化するフィルタ板と、該フィルタ板と鏡板との間に異なる波長帯の複数の光信号を出射し、該光信号をフィルタ板と鏡板との間で複数回反射させて前記フィルタ板に光信号が反射する毎に入射角度を変化させる光信号出射器と、該光信号出射器から出射された複数の光信号が前記フィルタ板に反射する毎に、入射角度に応じて前記フィルタ板を透過する一部の光信号を受光する受光器とによって構成してなる光分波装置。
【請求項４】
前記光信号出射器は、前記鏡板とフィルタ板との間隔が狭い側から光信号を出射し、該光信号が鏡板とフィルタ板との間で反射する毎に光信号の入射角度が徐々に大きくなる構成としてなる請求項３に記載の光分波装置。
【請求項５】
前記光信号出射器は、前記鏡板とフィルタ板との間隔が広い側から光信号を出射し、該光信号が鏡板とフィルタ板との間で反射する毎に光信号の入射角度が徐々に小さくなる構成としてなる請求項３に記載の光分波装置。
【請求項６】
前記鏡板とフィルタ板との間を複数回反射した光信号の光路上に位置して該光信号を吸収する吸光部材を設ける構成としてなる請求項３，４または５に記載の光分波装置。
【発明の詳細な説明】
【技術分野】
【０００１】
本発明は、波長帯の異なる複数の光信号を分波する光分波装置に関する。
【背景技術】
【０００２】
一般に、光分波装置として、光ファイバから波長帯の異なる複数の光信号を同一の光軸上に出射させると共に、光信号の光軸上に複数の光学フィルタを配置し、各光学フィルタを用いて複数の光信号のうち所望の光信号を選択的に反射させる構成としたものが知られている（例えば、特許文献１参照）。
【０００３】
また、他の光分波装置として、２枚の光学フィルタを非平行な状態で対向させ、これら２枚の光学フィルタ間に波長帯の異なる複数の光信号を入射する構成としたものも知られている（例えば、特許文献２参照）。この場合、２枚の光学フィルタ間で光信号が複数回反射すると、２枚の光学フィルタを非平行な状態で対向しているから、光学フィルタに対する入射角度が徐々に変化（増加または減少）する。このとき、光学フィルタとして例えば誘電体多層膜フィルタを用いたときには、光学フィルタを透過する波長帯が光学フィルタに対する光信号の入射角度に応じて変化する。このため、２枚の光学フィルタの間で光信号が反射する毎に複数の光信号のうち一部の光信号だけを透過させることができるから、２枚の光学フィルタを用いて複数（例えば３個以上）の波長帯の光信号を分波できる構成となっていた。
【０００４】
【特許文献１】特表２００３−５２４７８９号公報
【特許文献２】特開２０００−１４７３０３号公報
【発明の開示】
【発明が解決しようとする課題】
【０００５】
ところで、上述した特許文献１に記載された光分波装置では、光信号の光軸上に波長帯の異なる光信号を反射する複数の光学フィルタを配置し、各光学フィルタを用いて複数の光信号のうち所望の光信号を選択的に反射させる構成としている。しかし、特許文献１の光分波装置では、各光学フィルタで選択的に反射させた光信号が他の光学フィルタに干渉しない（多重反射しない）ようにするために、光学フィルタ間の間隔を十分に広げる必要がある。このため、光分波装置が光信号の光軸方向に向けて長くなって大型化し易いという問題がある。
【０００６】
一方、特許文献２に記載された光分波装置では、２枚の光学フィルタを用いて多数の光信号を分波することができる。しかし、特許文献２の光分波装置では、入射角度毎に所望の波長帯の光信号を透過させる高価な光学フィルタを２枚用いるから、製造コストが上昇するという問題がある。
【０００７】
本発明は上述した従来技術の問題に鑑みなされたもので、本発明の目的は、小型化が可能で製造コストを低減することができる光分波装置を提供することにある。
【課題を解決するための手段】
【０００８】
上述した課題を解決するために請求項１の発明による光分波装置は、互いに異なる波長帯の２つの光信号を反射する第１のフィルタ板と、該第１のフィルタ板と略平行な状態で対向し前記２つの光信号のうちいずれか一方を透過し他方を反射する第２のフィルタ板と、該第１，第２のフィルタ板の間に前記２つの光信号を出射する光信号出射器と、該光信号出射器が出射した第１，第２の光信号のうち前記第２のフィルタ板を透過した一方の光信号を受光する第１の受光器と、前記光信号出射器が出射した２つの光信号のうち前記第１，第２のフィルタ板の間を複数回反射した他方の光信号を受光する第２の受光器とによって構成している。
【０００９】
請求項２の発明は、前記第１のフィルタ板は、前記第１，第２の光信号と波長帯の異なる第３の光信号を透過する構成とし、該第１のフィルタ板を挟んで前記光信号出射器の反対側には前記光信号出射器に向けて第３の光信号を発光する発光器を設けている。
【００１０】
一方、請求項３の発明による光分波装置は、鏡板と、該鏡板と非平行な状態で対向し入射角度に応じて透過する光信号の波長帯が変化するフィルタ板と、該フィルタ板と鏡板との間に異なる波長帯の複数の光信号を出射し、該光信号をフィルタ板と鏡板との間で複数回反射させて前記フィルタ板に光信号が反射する毎に入射角度を変化させる光信号出射器と、該光信号出射器から出射された複数の光信号が前記フィルタ板に反射する毎に、入射角度に応じて前記フィルタ板を透過する一部の光信号を受光する受光器とによって構成している。
【００１１】
請求項４の発明では、前記光信号出射器は、前記鏡板とフィルタ板との間隔が狭い側から光信号を出射し、該光信号が鏡板とフィルタ板との間で反射する毎に光信号の入射角度が徐々に大きくなる構成としている。
【００１２】
請求項５の発明では、前記光信号出射器は、前記鏡板とフィルタ板との間隔が広い側から光信号を出射し、該光信号が鏡板とフィルタ板との間で反射する毎に光信号の入射角度が徐々に小さくなる構成としている。
【００１３】
請求項６の発明では、前記鏡板とフィルタ板との間を複数回反射した光信号の光路上に位置して該光信号を吸収する吸光部材を設ける構成としている。
【発明の効果】
【００１４】
請求項１の発明によれば、第１の受光器は第２のフィルタ板を透過した一方の光信号を受光するのに対して、第２の受光器は第１，第２のフィルタ板の間を複数回反射した他方の光信号を受光する構成としたから、互いに略平行な状態で対向した第１，第２のフィルタ板を接近させた状態で配置することができる。このとき、一方の光信号は第２のフィルタ板を透過するから、一方の光信号は第１，第２のフィルタ板の間から直ぐに外側（第２のフィルタ板の背面側）に放出される。これに対し、他方の光信号は第１，第２のフィルタ板の両方で反射するから、他方の光信号は第１，第２のフィルタ板の間を複数回反射しながら伝搬し、第１，第２のフィルタ板の端部から放出される。このため、第１，第２のフィルタ板を接近させた状態で配置しても、第１，第２の光信号を離れた位置に放射させることができ、第１，第２の受光器を用いて確実に受光、検出することができる。また、第１，第２のフィルタ板を接近させた状態で配置することができるから、装置全体を小型化し、製造コストを低減することができる。
【００１５】
請求項２の発明によれば、第１のフィルタ板は第１，第２の光信号と波長帯の異なる第３の光信号を透過する構成とし、該第１のフィルタ板を挟んで光信号出射器の反対側には光信号出射器に向けて第３の光信号を発光する発光器を設けたから、発光器からの第３の光信号を例えば光ファイバからなる光信号出射器を用いて外部に出力することができる。また、発光器は第１のフィルタ板を挟んで光信号出射器の反対側に設けるから、発光器と光信号出射器との間には２枚のフィルタ板のうち第１のフィルタ板のみを配置することができる。このため、発光器による第３の光信号は第１のフィルタ板を通過するだけで光ファイバ等からなる光信号出射器に到達することができるから、第３の光信号の散乱を抑えることができ、光信号出射器に対する第３の光信号の入射パワーを増加させることができる。
【００１６】
請求項３の発明によれば、鏡板とフィルタ板とを非平行な状態で対向させたから、鏡板とフィルタ板との間で光信号が複数回反射すると、フィルタ板に光信号が反射する毎に光信号の入射角度が徐々に変化（増加または減少）する。このとき、フィルタ板として例えば誘電体多層膜フィルタを用いたときには、フィルタ板を透過する波長帯がフィルタ板に対する光信号の入射角度に応じて変化する。このため、鏡板とフィルタ板との間で光信号が反射する毎に複数の光信号のうち一部の光信号だけフィルタ板を透過させることができるから、鏡板とフィルタ板とを用いて複数（例えば３個以上）の波長帯の光信号を分波することができ、この分波した光信号を受光器を用いて受光することができる。
【００１７】
また、鏡板とフィルタ板とを用いて複数の光信号を分波するから、フィルタ板のうち鏡板の反対側に受光器を配置すればよい。このため、従来技術のように２枚の光学フィルタの背面側にそれぞれポートを設けた場合に比べて、装置を小型化することができる。さらに、高価なフィルタ板を１枚だけ使用すれば足りるから、製造コストを低減することができる。
【００１８】
請求項４の発明によれば、光信号出射器は鏡板とフィルタ板との間隔が狭い側から光信号を出射するから、光信号が鏡板とフィルタ板との間で反射する毎にフィルタ板に対する光信号の入射角度が徐々に大きくなる。このため、フィルタ板は光信号の入射角度に応じて異なる波長帯の光信号を透過させることができ、複数の光信号を分波することができる。
【００１９】
請求項５の発明によれば、光信号出射器は鏡板とフィルタ板との間隔が広い側から光信号を出射するから、光信号が鏡板とフィルタ板との間で反射する毎にフィルタ板に対する光信号の入射角度が徐々に小さくなる。このため、フィルタ板は光信号の入射角度に応じて異なる波長帯の光信号を透過させることができ、複数の光信号を分波することができる。
【００２０】
請求項６の発明によれば、鏡板とフィルタ板との間を複数回反射した光信号の光路上に位置して該光信号を吸収する吸光部材を設ける構成としたから、例えばフィルタ板で光信号が透過するときに、その一部が反射してしまうときでも、残存した光信号を吸光部材を用いて吸収することができる。このとき、不要な光信号はすべて同じ光路上を通過するから、全ての不要な光信号を吸光部材を用いて確実に吸収することができ、迷光の発生を防止して信頼性を高めることができる。
【発明を実施するための最良の形態】
【００２１】
以下、本発明の実施の形態による光分波装置を、添付図面を参照して詳細に説明する。
【００２２】
ここで、図１および図２は第１の実施の形態を示している。そして、図において、１は光分波装置の外殻をなすケーシングで、該ケーシング１は、例えば金属材料、樹脂材料等からなり、内部が中空となった四角形の略箱形状に形成されている。
【００２３】
そして、ケーシング１の四辺の周壁は、後述する光ファイバ４の軸線Ｏ−Ｏに沿った方向で互いに対向する周壁部１Ａ，１Ｂと、軸線Ｏ−Ｏと直交する方向で互いに対向する周壁部１Ｃ，１Ｄとにより構成されている。そして、ケーシング１内には、各周壁部１Ａ〜１Ｄに囲まれた空間１Ｅが画成されている。
【００２４】
２はケーシング１の空間１Ｅ内に設けられた第１のフィルタ板で、該第１のフィルタ板２は、例えばガラス板２Ａ上にフィルタ部２Ｂを設けた誘電体多層膜フィルタ（波長分離フィルタ）を用いて形成され、フィルタ部２Ｂは、屈折率の異なる２種類の誘電体層を複数層に亘って交互に積層することによって形成されている。また、第１のフィルタ板２は、後述の光ファイバ４と発光器７との間に位置して送信用の光信号Ｓ3の光路の途中（または軸線Ｏ−Ｏ上）に配置されている。そして、フィルタ板２は、光ファイバ４から出力される第１，第２の光信号Ｓ1，Ｓ2を反射し、発光器７から出力される第３の光信号Ｓ3を透過する構成となっている。即ち、フィルタ板２は、図２中に実線で示す特性線Ａのように、波長λ1，λ2をもった第１，第２の光信号Ｓ1，Ｓ2に対して透過率が小さく、波長λ1，λ2よりも短い波長λ3（λ3＜λ1，λ2）をもった第３の光信号Ｓ3に対して透過率が大きい構成となっている。
【００２５】
また、フィルタ板２は、図１に示すように、光ファイバ４の軸線に対して例えば４５°だけ傾いた状態に保持されている。そして、フィルタ板２のうちガラス板２Ａは、光ファイバ４の軸線Ｏ−Ｏ方向で発光器７と４５°で対向している。一方、フィルタ板２のうちフィルタ部２Ｂは、軸線Ｏ−Ｏ方向で光ファイバ４と４５°で対向すると共に、軸線Ｏ−Ｏ方向と直交する方向で第１，第２の受光器８，９と４５°で対向している。
【００２６】
そして、フィルタ板２は、発光器７からガラス板２Ａに出射される送信用の光信号Ｓ3を透過し、この光信号Ｓ3を光ファイバ４に入射させる。また、フィルタ板２は、光ファイバ４からフィルタ部２Ｂに出射される受信用の第１，第２の光信号Ｓ1，Ｓ2をほぼ直角に反射し、これを受光器８，９に入射させるものである。
【００２７】
３はケーシング１の空間１Ｅ内に設けられた第２のフィルタ板で、該第２のフィルタ板３は、第１のフィルタ板２とほぼ同様に例えばガラス板３Ａ上にフィルタ部３Ｂを設けた誘電体多層膜フィルタ（波長分離フィルタ）を用いて形成されている。また、第２のフィルタ板３は、第１のフィルタ板２とほぼ同様に光ファイバ４と発光器７との間に位置するものの、第１のフィルタ板２よりも受光器８，９側に位置して送信用の光信号Ｓ3の光路上（または軸線Ｏ−Ｏ上）から外れた位置に配置されている。そして、フィルタ板３は、光ファイバ４から出力される第１の光信号Ｓ1を透過し、第２の光信号Ｓ2を反射する構成となっている。即ち、フィルタ板３は、図２中に点線で示す特性線Ｂのように、波長λ2をもった第２の光信号Ｓ2に対して透過率が小さく、波長λ2よりも短い波長λ1，λ3（λ3＜λ1＜λ2）をもった第１，第３の光信号Ｓ1，Ｓ3に対して透過率が大きい構成となっている。
【００２８】
また、第２のフィルタ板３は、図１に示すように、光ファイバ４の軸線に対して例えば４５°だけ傾いた状態に保持され、第１のフィルタ板２と略平行な状態で対向している。そして、フィルタ板３のうちガラス板３Ａは、光ファイバ４の軸線Ｏ−Ｏ方向で光ファイバ４に対して位置ずれした状態で配置され、軸線Ｏ−Ｏ方向と直交する方向で第１の受光器８と対向している。一方、フィルタ板３のうちフィルタ部３Ｂは、第１のフィルタ板２のフィルタ部２Ｂと対向している。
【００２９】
そして、フィルタ板３は、第１のフィルタ板２で反射した受信用の光信号Ｓ1，Ｓ2のうち第１の光信号Ｓ1を透過して第１の受光器８に入射させ、第２の光信号Ｓ2を第１のフィルタ板２との間で複数回に亘って反射させ、軸線Ｏ−Ｏの一端側から他端側に向けてフィルタ板２，３に沿って光信号Ｓ2を導くものである。
【００３０】
４は例えばケーシング１のうち軸線Ｏ−Ｏの一端側の周壁部１Ａに設けられた光信号出射器としての光ファイバで、該光ファイバ４は、その外周側に設けられた筒状のフェルール５と共に所定の軸線Ｏ−Ｏを中心として延びている。そして、光ファイバ４は、その先端側がフェルール５と共にケーシング１内に挿入され、光ファイバ４の基端側は、フェルール５と共にケーシング１の外側に取付けられた筒状のホルダ６によって支持されている。
【００３１】
ここで、光ファイバ４とフェルール５の先端面４Ａ，５Ａは、ケーシング１内に配置され、光ファイバ４の軸線Ｏ−Ｏと垂直な平面に対し一定の角度をもって傾斜している。そして、光ファイバ４は、後述の発光器７から先端面４Ａに入力される送信用の光信号Ｓ3を外部に伝送しつつ、外部から伝送される受信用の光信号Ｓ1，Ｓ2を先端面４Ａから第１，第２のフィルタ板２，３の間に向けて出射する。これにより、光ファイバ４から出射された第１，第２の光信号Ｓ1，Ｓ2は、いずれも第１のフィルタ板２のうち軸線Ｏ−Ｏの一端側に当たって略直角に屈曲した方向に反射する。このとき、第１の光信号Ｓ1は、第１のフィルタ板２に対向した第２のフィルタ板３を透過する。これに対し、第２の光信号Ｓ2は、第２のフィルタ板３で反射され、第１，第２のフィルタ板２，３の間で複数回に亘って反射を繰返して軸線Ｏ−Ｏの一端側から他端側に向けてフィルタ板２，３に沿って伝搬する。
【００３２】
７はケーシング１のうち軸線Ｏ−Ｏの他端側の周壁部１Ｂに設けられた発光器で、該発光器７は、例えばレーザーダイオード等を用いて構成され、光ファイバ４の先端面４Ａから軸線Ｏ−Ｏ方向に離間している。また、発光器７は、光ファイバ４の先端面４Ａと軸線Ｏ−Ｏ方向で対向する送信レンズ７Ａを有している。そして、発光器７は、外部から入力される電気信号を所定の波長λ3をもつ光信号Ｓ3に変換し、これを光ファイバ４に向けて出射する。このとき、第３の光信号Ｓ3の波長λ3は、第１，第２の光信号Ｓ1，Ｓ2の波長λ1，λ2と異なる値として、例えば光信号Ｓ1，Ｓ2の波長λ1，λ2よりも短い値（λ3＜λ1，λ2）に設定されている。
【００３３】
８はケーシング１の周壁部１Ｃに設けられた第１の受光器で、該受光器８は、例えばフォトダイオード等を用いて構成され、受信レンズ８Ａを有している。また、受光器８は、光ファイバ４と発光器７との間に位置して送信用の光信号Ｓ3の光路（または光ファイバ４の軸線Ｏ−Ｏ）から側方に離間すると共に、軸線Ｏ−Ｏと直交する方向で第１のフィルタ板２と対向している。そして、受光器８は、光ファイバ４の先端面４Ａから受信用の光信号Ｓ1，Ｓ2が出射されると、この光信号Ｓ1，Ｓ2のうち第２のフィルタ板３を透過した第１の光信号Ｓ1を受光し、これを電気信号に変換する。
【００３４】
９は第１の受光器８と隣合ってケーシング１の周壁部１Ｃに設けられた第２の受光器で、該受光器９は、第１の受光器８とほぼ同様に例えばフォトダイオード等を用いて構成され、受信レンズ９Ａを有している。また、受光器９は、光ファイバ４と発光器７との間に位置して送信用の光信号Ｓ3の光路（または光ファイバ４の軸線Ｏ−Ｏ）から側方に離間すると共に、軸線Ｏ−Ｏと直交する方向で第１のフィルタ板２と対向している。そして、受光器８は、光ファイバ４の先端面４Ａから受信用の光信号Ｓ1，Ｓ2が出射されると、この光信号Ｓ1，Ｓ2のうち第１，第２のフィルタ板２，３間を複数回反射して伝搬した第２の光信号Ｓ2を受光し、これを電気信号に変換する。
【００３５】
本実施の形態による光分波装置は上述の如き構成を有するもので、次にその作動について説明する。
【００３６】
まず、光ファイバ４からケーシング１内に向けて受信用の第１，第２の光信号Ｓ1，Ｓ2が入力されると、これらの光信号Ｓ1，Ｓ2は光ファイバ４の先端面４Ａからフィルタ板２，３間に向けて出射される。これにより、光信号Ｓ1，Ｓ2は、光路の途中（軸線Ｏ−Ｏ上）に傾斜した状態で配置された第１のフィルタ板２に当たって略直角に反射し、軸線Ｏ−Ｏと直交した方向で対向する第２のフィルタ板３に向って入射される。このとき、第１の光信号Ｓ1は第２のフィルタ板３を透過するから、第１の光信号Ｓ1は、第２のフィルタ板３を挟んで第１のフィルタ板２と対向する第１の受光器８によって受光される。一方、第２の光信号Ｓ2は第２のフィルタ３で反射されるから、第２の光信号Ｓ2は、第１，第２のフィルタ板２，３間で複数回に亘って反射を繰り返し、フィルタ板２，３間のうち軸線Ｏ−Ｏの一端側（光ファイバ４側）から他端側（発光器７側）に向けて伝搬する。そして、フィルタ板２，３間の軸線Ｏ−Ｏの他端側から出力された第２の光信号Ｓ2は、第１のフィルタ板２と軸線Ｏ−Ｏの他端側で対向する第２の受光器９によって受光される。これにより、受光器８，９は、光信号Ｓ1，Ｓ2を電気信号に変換して外部に出力する。
【００３７】
一方、外部から発光器７に電気信号が入力されると、この電気信号は発光器７によって第３の光信号Ｓ3に変換され、発光器７から光ファイバ４に向けて光信号Ｓ3が出射される。そして、この光信号Ｓ3は、第１のフィルタ板２の内部を透過して光ファイバ４に入射され、光ファイバ４を通じて外部に伝送される。これにより、光分波装置は、双方向の光通信を行うものである。
【００３８】
然るに、本実施の形態によれば、第１の受光器８は第２のフィルタ板３を透過した第１の光信号Ｓ1を受光するのに対して、第２の受光器９は第１，第２のフィルタ板２，３の間を複数回反射した第２の光信号Ｓ2を受光する構成としたから、互いに略平行な状態で対向した第１，第２のフィルタ板２，３を接近させた状態で配置することができる。このとき、第１の光信号Ｓ1は第２のフィルタ板３を透過するから、光信号Ｓ1は第１，第２のフィルタ板２，３間から直ちに外側（第２のフィルタ板３のガラス板２Ａ側）に放出される。これに対し、第２の光信号Ｓ2は第１，第２のフィルタ板２，３の両方で反射されるから、光信号Ｓ2は第１，第２のフィルタ板２，３間を複数回反射しながら軸線Ｏ−Ｏの一端側から他端側に向けてフィルタ板２，３に沿って伝搬し、第１，第２のフィルタ板２，３の他端側の端部から放出される。このため、第１，第２のフィルタ板２，３を接近させた状態で配置しても、第１，第２の光信号Ｓ1，Ｓ2を離れた位置に放射させることができ、第１，第２の受光器８，９を用いて確実に光信号Ｓ1，Ｓ2を受光、検出することができる。また、第１，第２のフィルタ板２，３を接近させた状態で配置することができるから、装置全体を小型化し、製造コストを低減することができる。
【００３９】
さらに、第１のフィルタ板２は第１，第２の光信号Ｓ1，Ｓ2と波長帯の異なる第３の光信号Ｓ3を透過する構成とし、該第１のフィルタ板２を挟んで光ファイバ４の反対側には光ファイバ４に向けて第３の光信号Ｓ3を発光する発光器７を設けたから、発光器７からの光信号Ｓ3を光ファイバ４を用いて外部に出力することができる。また、発光器７は第１のフィルタ板２を挟んで光ファイバ４の反対側に設けるから、発光器７と光ファイバ４との間には２枚のフィルタ板２，３のうち第１のフィルタ板２のみを配置することができる。このため、発光器７による光信号Ｓ3は第１のフィルタ板２を通過するだけで光ファイバ４に到達することができるから、光信号Ｓ3の散乱を抑えることができ、光ファイバ４に対する光信号Ｓ3の入射パワーを増加させることができる。
【００４０】
なお、第１，第２の受光器８，９の間や第２の受光器９と発光器７との間には、図１中に点線で示すように、遮光部材１０を設ける構成としてもよい。これにより、発光器７、受光器８，９の相互間でクロストークが生じるのを防止でき、受光器８，９間等の間隔を狭めて、さらなる小型化を図ることができる。
【００４１】
次に、図３および図４は本発明による第２の実施の形態を示し、本実施の形態の特徴は、受信用の光信号Ｓ1，Ｓ2の波長λ1，λ2に比べて送信用の光信号Ｓ3の波長λ3を長くしたことにある。なお、本実施の形態では前記第１の実施の形態と同一の構成要素に同一の符号を付し、その説明を省略するものとする。
【００４２】
２１はケーシング１内に設けられた第１のフィルタ板で、該フィルタ板２１は、第１の実施の形態のフィルタ板２とほぼ同様に例えばガラス板２１Ａ上にフィルタ部２１Ｂを設けた誘電体多層膜フィルタを用いて形成されている。また、第１のフィルタ板２１は、第１の実施の形態によるフィルタ板２とほぼ同様に、光ファイバ２３の軸線Ｏ−Ｏの途中に位置して４５°だけ斜めに傾斜した状態で保持され、そのフィルタ部２１Ｂ側に第１，第２の光信号Ｓ1，Ｓ2が入射されると共に、ガラス板２１Ａ側に第３の光信号Ｓ3が入射される。
【００４３】
そして、フィルタ板２１は、後述の光ファイバ２３から出力される第１，第２の光信号Ｓ1，Ｓ2を反射し、発光器２４から出力される第３の光信号Ｓ3を透過する構成となっている。即ち、フィルタ板２１は、図４中に実線で示す特性線Ａのように、波長λ1，λ2をもった第１，第２の光信号Ｓ1，Ｓ2に対して透過率が小さく、波長λ1，λ2よりも長い波長λ3（λ1，λ2＜λ3）をもった第３の光信号Ｓ3に対して透過率が大きい構成となっている。これにより、フィルタ板２１は、発光器２４からガラス板２１Ａに出射される送信用の光信号Ｓ3を透過し、この光信号Ｓ3を光ファイバ２３に入射させる。また、フィルタ板２１は、光ファイバ２３からフィルタ部２１Ｂに出射される受信用の第１，第２の光信号Ｓ1，Ｓ2を略直角に反射し、これを受光器８，９に入射させるものである。
【００４４】
２２はケーシング１内に設けられた第２のフィルタ板で、該フィルタ板２２は、第１の実施の形態のフィルタ板３とほぼ同様に例えばガラス板２２Ａ上にフィルタ部２２Ｂを設けた誘電体多層膜フィルタを用いて形成されている。また、第２のフィルタ板２２は、光ファイバ２３の軸線Ｏ−Ｏから外れた位置に設けられ、第１のフィルタ板２１と軸線Ｏ−Ｏと直交する方向で対向すると共に、第１のフィルタ板２１と略平行な状態に保持されている。
【００４５】
そして、フィルタ板２２は、後述の光ファイバ２３から出力される第１の光信号Ｓ1を透過し、第２の光信号Ｓ2を反射する構成となっている。即ち、フィルタ板２２は、図４中に点線で示す特性線Ｂのように、波長λ2をもった第２の光信号Ｓ2に対して透過率が小さく、波長λ2よりも長い波長λ1，λ3（λ2＜λ1＜λ3）をもった第１，第３の光信号Ｓ1，Ｓ3に対して透過率が大きい構成となっている。これにより、フィルタ板２２は、第１のフィルタ板２１で反射した送信用の光信号Ｓ1，Ｓ2のうち第１の光信号Ｓ1を透過して第１の受光器８に入射させ、第２の光信号Ｓ2を第１のフィルタ板２１との間で複数回に亘って反射させ、軸線Ｏ−Ｏの一端側から他端側に向けてフィルタ板２１，２２に沿って光信号Ｓ2を導くものである。
【００４６】
２３はケーシング１のうち軸線Ｏ−Ｏの一端側の周壁部１Ａに設けられた光信号出射器としての光ファイバで、該光ファイバ２３は、第１の実施の形態による光ファイバ４とほぼ同様に、筒状のフェルール５内に配置され軸線Ｏ−Ｏに沿って延びている。そして、光ファイバ２３は、後述の発光器２４から先端面２３Ａに入力される送信用の光信号Ｓ3を外部に伝送しつつ、外部から伝送される受信用の光信号Ｓ1，Ｓ2を先端面２３Ａから第１，第２のフィルタ板２１，２２の間に向けて出射する。
【００４７】
２４はケーシング１のうち軸線Ｏ−Ｏの他端側の周壁部１Ｂに設けられた発光器で、該発光器２４は、第１の実施の形態による発光器７とほぼ同様に、レーザーダイオード等を用いて構成され、光ファイバ２３の先端面２３Ａから軸線Ｏ−Ｏ方向に離間すると共に、送信レンズ２４Ａを有している。そして、発光器２４は、外部から入力される電気信号を波長λ3をもった光信号Ｓ3に変換し、これを光ファイバ２３に向けて出射する。このとき、第３の光信号Ｓ3の波長λ3は、第１，第２の光信号Ｓ1，Ｓ2の波長λ1，λ2と異なる値として、例えば光信号Ｓ1，Ｓ2の波長λ1，λ2よりも長い値（λ3＞λ1，λ2）に設定されている。
【００４８】
かくして、このように構成される本実施の形態でも、第１の実施の形態とほぼ同様の作用効果を得ることができる。
【００４９】
次に、図５および図６は本発明による第３の実施の形態を示し、本実施の形態の特徴は、受信用の光信号Ｓ1，Ｓ2の波長λ1，λ2に対して送信用の光信号Ｓ3の波長λ3を中間の値に設定したことにある。なお、本実施の形態では前記第１の実施の形態と同一の構成要素に同一の符号を付し、その説明を省略するものとする。
【００５０】
３１はケーシング１内に設けられた第１のフィルタ板で、該フィルタ板３１は、第１の実施の形態のフィルタ板２とほぼ同様に例えばガラス板３１Ａ上にフィルタ部３１Ｂを設けた誘電体多層膜フィルタを用いて形成されている。また、第１のフィルタ板３１は、第１の実施の形態によるフィルタ板２とほぼ同様に、光ファイバ３３の軸線Ｏ−Ｏの途中に位置して４５°だけ斜めに傾斜した状態で保持され、そのフィルタ部３１Ｂ側に第１，第２の光信号Ｓ1，Ｓ2が入射されると共に、ガラス板３１Ａ側に第３の光信号Ｓ3が入射される。
【００５１】
そして、フィルタ板３１は、後述の光ファイバ３３から出力される第１，第２の光信号Ｓ1，Ｓ2を反射し、発光器３４から出力される第３の光信号Ｓ3を透過する構成となっている。即ち、フィルタ板３１は、図６中に実線で示す特性線Ａのように、波長λ1，λ2をもった第１，第２の光信号Ｓ1，Ｓ2に対して透過率が小さく、波長λ1，λ2の中間の値となった波長λ3（λ1＜λ3＜λ2）をもった第３の光信号Ｓ3に対して透過率が大きいバンドパスフィルタとなっている。これにより、フィルタ板３１は、発光器３４からガラス板３１Ａに出射される送信用の光信号Ｓ3を透過し、この光信号Ｓ3を光ファイバ３３に入射させる。また、フィルタ板３１は、光ファイバ３３からフィルタ部３１Ｂに出射される受信用の第１，第２の光信号Ｓ1，Ｓ2を略直角に反射し、これを受光器８，９に入射させるものである。
【００５２】
３２はケーシング１内に設けられた第２のフィルタ板で、該フィルタ板３２は、第１の実施の形態のフィルタ板３とほぼ同様に例えばガラス板３２Ａ上にフィルタ部３２Ｂを設けた誘電体多層膜フィルタを用いて形成されている。また、第２のフィルタ板３２は、光ファイバ３３の軸線Ｏ−Ｏから外れた位置に設けられ、第１のフィルタ板３１と軸線Ｏ−Ｏと直交する方向で対向すると共に、第１のフィルタ板３１と略平行な状態に保持されている。
【００５３】
そして、フィルタ板３２は、後述の光ファイバ３３から出力される第１の光信号Ｓ1を透過し、第２の光信号Ｓ2を反射する構成となっている。即ち、フィルタ板３２は、図６中に点線で示す特性線Ｂのように、波長λ2をもった第２の光信号Ｓ2に対して透過率が小さく、波長λ2よりも短い波長λ1（λ1＜λ2）をもった第１の光信号Ｓ1に対して透過率が大きい構成となっている。これにより、フィルタ板３２は、第１のフィルタ板３１で反射した送信用の光信号Ｓ1，Ｓ2のうち第１の光信号Ｓ1を透過して第１の受光器８に入射させ、第２の光信号Ｓ2を第１のフィルタ板３１との間で複数回に亘って反射させ、軸線Ｏ−Ｏの一端側から他端側に向けてフィルタ板３１，３２に沿って光信号Ｓ2を導くものである。
【００５４】
３３はケーシング１のうち軸線Ｏ−Ｏの一端側の周壁部１Ａに設けられた光信号出射器としての光ファイバで、該光ファイバ３３は、第１の実施の形態による光ファイバ４とほぼ同様に、筒状のフェルール５内に配置され軸線Ｏ−Ｏに沿って延びている。そして、光ファイバ３３は、後述の発光器３４から先端面３３Ａに入力される送信用の光信号Ｓ3を外部に伝送しつつ、外部から伝送される受信用の光信号Ｓ1，Ｓ2を先端面３３Ａから第１，第２のフィルタ板３１，３２の間に向けて出射する。
【００５５】
３４はケーシング１のうち軸線Ｏ−Ｏの他端側の周壁部１Ｂに設けられた発光器で、該発光器３４は、第１の実施の形態による発光器７とほぼ同様に、レーザーダイオード等を用いて構成され、光ファイバ３３の先端面３３Ａから軸線Ｏ−Ｏ方向に離間すると共に、送信レンズ３４Ａを有している。そして、発光器３４は、外部から入力される電気信号を波長λ3をもった光信号Ｓ3に変換し、これを光ファイバ３３に向けて出射する。このとき、第３の光信号Ｓ3の波長λ3は、第１，第２の光信号Ｓ1，Ｓ2の波長λ1，λ2と異なる値として、例えば光信号Ｓ1の波長λ1よりも大きく光信号Ｓ2の波長λ2よりも小さな値（λ1＜λ3＜λ2）に設定されている。
【００５６】
かくして、このように構成される本実施の形態でも、第１の実施の形態とほぼ同様の作用効果を得ることができる。
【００５７】
次に、図７および図８は本発明による第４の実施の形態を示し、本実施の形態の特徴は、鏡板とフィルタ板とを非平行な状態で対向させ、複数の光信号を分波する構成としたことにある。
【００５８】
図において、４１は光分波装置の外殻をなすケーシングで、該ケーシング４１は、底面をなす基台４１Ａと該基台４１Ａの外周側を取囲む側壁部（図示せず）等によって構成されている。また、基台４１Ａは平坦な平板状をなすと共に、その表面には後述のフィルタ板４３の背面側には後述の発光器４４、受光器４５〜４７を取付けるための取付台座４１Ｂ，４１Ｃが形成されている。そして、取付台座４１Ｂ，４１Ｃの表面は、例えば基台４１Ａの表面と略平行な状態となっている。
【００５９】
４２はケーシング４１の基台４１Ａ上に設けられた鏡板で、該鏡板４２は、基台４１Ａの表面に対して垂直な状態で立設され、後述する全ての光信号Ｓ1〜Ｓ3は反射している。
【００６０】
４３は鏡板４２と非平行な状態でケーシング４１の基台４１Ａ上に設けられたフィルタ板で、該フィルタ板４３は、鏡板４２と同様に基台４１Ａの表面に対して垂直な状態で立設されると共に、非平行な状態で鏡板４２と対向している。このため、フィルタ板４３は、鏡板４２の表面に対して傾斜角度αだけ傾斜した状態で配置されている。これにより、鏡板４２とフィルタ板４３との間に光信号Ｓ1〜Ｓ3を入射したときには、光信号Ｓ1〜Ｓ3が鏡板４２、フィルタ板４３に反射する毎にその入射角度θ1〜θ3が傾斜角度αに応じて変化する。具体的には、鏡板４２とフィルタ板４３との間隔が広がるに従って、入射角度θ1〜θ3が大きくなる。
【００６１】
そして、フィルタ板４３は、例えばガラス板４３Ａの表面にフィルタ部４３Ｂを設けた誘電体多層膜フィルタ（波長分離フィルタ）を用いて形成され、フィルタ部４３Ｂは、屈折率の異なる２種類の誘電体層を複数層に亘って交互に積層することによって形成されている。また、フィルタ板４３は、光信号の入射角度に応じて透過可能な波長帯が変化し、例えば入射角度が小さいときには透過可能な波長帯は短くなり、入射角度が大きいときには透過可能な波長帯は長くなる構成となっている。なお、入射角度が小さいときは光信号はフィルタ板４３の表面に対して垂直に近くなり、入射角度が大きいときは光信号はフィルタ板４３の表面に対して水平に近くなるものである。
【００６２】
このため、フィルタ板４３と鏡板４２との間を複数回反射して光信号Ｓ1〜Ｓ3が伝搬するときには、フィルタ板４３と鏡板４２との距離が最も近い第１の反射部位では入射角度θ1が小さいから、フィルタ板４３は、波長λ1が短い光信号Ｓ1を透過し、他の光信号Ｓ2，Ｓ3を反射する。
【００６３】
また、第１の反射部位で反射された光信号Ｓ2，Ｓ3は鏡板４２に反射して次なる第２の反射部位に到達する。このとき、第２の反射部位ではフィルタ板４３と鏡板４２との距離が第１の反射部位よりも遠くなり、入射角度θ2は入射角度θ1よりも大きくなる（θ2＞θ1）。このため、第２の反射部位では、フィルタ板４３は、先に透過した波長λ1よりも長い波長λ2（λ2＞λ1）をもった光信号Ｓ2を透過し、残余の光信号Ｓ3を反射する。
【００６４】
さらに、第１，第２の反射部位で反射された光信号Ｓ3は再び鏡板４２に反射して次なる第３の反射部位に到達する。このとき、フィルタ板４３と鏡板４２との距離が最も遠い第３の反射部位では入射角度θ3が入射角度θ1，θ2に比べて大きくなる（θ3＞θ2＞θ1）。このため、第３の反射部位では、フィルタ板４３は、先に透過した波長λ1，λ2よりも長い波長λ3（λ3＞λ2＞λ1）をもった光信号Ｓ3を透過し、残余の迷光（例えば漏れた光信号）を反射するものである。
【００６５】
４４は取付台座４１Ｂの表面に取付けられた光信号出射器としての発光器で、該発光器４４は、例えばレーザーダイオード、光ファイバ等を用いて構成されている。そして、発光器４４は、鏡板４２とフィルタ板４３との間隔が狭い一端側に位置し、鏡板４２とフィルタ板４３との間に向けて互いに異なる波長λ1〜λ3をもった光信号Ｓ1〜Ｓ3を入射している。これにより、発光器４４から出射された第１〜第３の光信号Ｓ1〜Ｓ3は、鏡板４２とフィルタ板４３との間で複数回反射しつつ鏡板４２とフィルタ板４３との間隔が狭い一端側から間隔が広い他端側に向けて伝搬すると共に、光信号Ｓ1〜Ｓ3がフィルタ板４３に反射する毎に、入射角度θ1〜θ3が変化する。このとき、発光器４４は、第１〜第３の光信号Ｓ1〜Ｓ3の波長λ1〜λ3を順次長い値（λ1＜λ2＜λ3）に設定している。これにより、第１〜第３の光信号Ｓ1〜Ｓ3は、入射角度θ1〜θ3に応じて選択的にフィルタ板４３を透過する構成となっている。
【００６６】
４５〜４７は取付台座４１Ｃの表面に取付けられた第１〜第３の受光器で、該各受光器４５〜４７は、例えばフォトダイオード等を用いて構成されている。また、第１〜第３の受光器４５〜４７は、フィルタ板４３の背面側（ガラス板４３Ａ側）に配置され、第１の受光器４５は第１の反射部位と対応した位置に設けられ、第２の受光器４６は第２の反射部位と対応した位置に設けられると共に、第３の受光器４７は第３の反射部位と対応した位置に設けられている。これにより、第１〜第３の受光器４５〜４７は、フィルタ板４３を透過した光信号Ｓ1〜Ｓ3をそれぞれ受光し、これを電気信号に変換する。
【００６７】
４８は鏡板４２、フィルタ板４３の他端側に位置してケーシング４１の基台４１Ａ上に設けられた吸光部材で、該吸光部材４８は、鏡板４２等を挟んで発光器４４の反対側に設けられ、鏡板４２とフィルタ板４３との間を複数回反射した光信号Ｓ1〜Ｓ3の光路上に配置されている。そして、吸光部材４８は、フィルタ板４３で僅かに反射された光信号Ｓ1〜Ｓ3が迷光となって鏡板４２とフィルタ板４３との間から放射されたときに、この迷光を吸収している。
【００６８】
本実施の形態による光分波装置は上述の如き構成を有するもので、次にその作動について説明する。
【００６９】
まず、発光器４４から鏡板４２とフィルタ板４３との間に第１〜第３の光信号Ｓ1〜Ｓ3が入射されると、これらの光信号Ｓ1〜Ｓ3はフィルタ板４３のうち鏡板４２との間隔が狭い一端側に位置する第１の反射部位に入射される。このとき、第１の反射部位では光信号Ｓ1〜Ｓ3の入射角度θ1が小さいから、フィルタ板４３は、光信号Ｓ1〜Ｓ3のうち波長λ1が短い光信号Ｓ1を透過し、他の光信号Ｓ2，Ｓ3を反射する。このとき、フィルタ板４３の背面側のうち第１の反射部位の近傍には第１の受光器４５が配設されているから、第１の反射部位で透過した第１の光信号Ｓ1は第１の受光器４５によって受光され、電気信号に変換される。
【００７０】
次に、第１の反射部位で反射された第２，第３の光信号Ｓ2，Ｓ3は鏡板４２に反射して次なる第２の反射部位に到達する。このとき、フィルタ板４３のうち中央側に位置する第２の反射部位では光信号Ｓ2，Ｓ3の入射角度θ2が入射角度θ1よりも大きくなる（θ2＞θ1）。このため、第２の反射部位では、フィルタ板４３は、先に透過した光信号Ｓ1の波長λ1よりも長い波長λ2（λ2＞λ1）をもった光信号Ｓ2を透過し、残余の光信号Ｓ3を反射する。このとき、フィルタ板４３の背面側のうち第２の反射部位の近傍には第２の受光器４６が配設されているから、第２の反射部位で透過した第２の光信号Ｓ2は第２の受光器４６によって受光され、電気信号に変換される。
【００７１】
さらに、第１，第２の反射部位で反射された光信号Ｓ3は再び鏡板４２に反射して次なる第３の反射部位に到達する。このとき、フィルタ板４３のうち鏡板４２との間隔が広い第３の反射部位では入射角度θ3が入射角度θ1，θ2に比べて大きくなる（θ3＞θ2＞θ1）。このため、第３の反射部位では、フィルタ板４３は、先に透過した光信号Ｓ1，Ｓ2の波長λ1，λ2よりも長い波長λ3（λ3＞λ2＞λ1）をもった光信号Ｓ3を透過する。このとき、フィルタ板４３の背面側のうち第３の反射部位の近傍には第３の受光器４７が配設されているから、第３の反射部位で透過した第３の光信号Ｓ3は第３の受光器４７によって受光され、電気信号に変換される。これにより、光分波装置は、互いに異なる波長λ1〜λ3をもった光信号Ｓ1〜Ｓ3を分波し、第１〜第３の受光器４５〜４７を用いて受光することができる。
【００７２】
かくして、本実施の形態によれば、鏡板４２とフィルタ板４３とを非平行な状態で対向させたから、鏡板４２とフィルタ板４３との間で光信号Ｓ1〜Ｓ3が複数回反射すると、フィルタ板４３に対する光信号Ｓ1〜Ｓ3の入射角度θ1〜θ3が徐々に変化する。このとき、フィルタ板４３として誘電体多層膜フィルタを用いたから、フィルタ板４３を透過する波長帯がフィルタ板４３に対する光信号Ｓ1〜Ｓ3の入射角度θ1〜θ3に応じて変化する。このため、鏡板４２とフィルタ板４３との間で光信号Ｓ1〜Ｓ3が反射する毎に複数の光信号Ｓ1〜Ｓ3のうち一部の光信号だけフィルタ板４３を透過させることができるから、鏡板４２とフィルタ板４３とを用いて複数（例えば３個以上）の波長帯の光信号Ｓ1〜Ｓ3を分波することができる。
【００７３】
また、鏡板４２とフィルタ板４３とを用いて複数の光信号Ｓ1〜Ｓ3を分波するから、フィルタ板４３のうち鏡板４２の反対側に受光器４５〜４７を配置すればよいから、従来技術のように２枚のフィルタ板（光学フィルタ）の背面側にそれぞれポートを設けた場合に比べて、装置を小型化することができる。さらに、高価なフィルタ板４３を１枚だけ使用すれば足りるから、製造コストを低減することができる。
【００７４】
また、発光器４４は鏡板４２とフィルタ板４３との間隔が狭い一端側から光信号Ｓ1〜Ｓ3を入射するから、光信号Ｓ1〜Ｓ3が鏡板４２とフィルタ板４３との間で反射する毎にフィルタ板４３に対する光信号Ｓ1〜Ｓ3の入射角度θ1〜θ3が徐々に大きくなる。このため、フィルタ板は光信号Ｓ1〜Ｓ3の入射角度θ1〜θ3に応じて異なる波長帯の光信号Ｓ1〜Ｓ3を透過させることができ、複数の光信号Ｓ1〜Ｓ3を分波することができる。また、光信号Ｓ1〜Ｓ3は鏡板４２とフィルタ板４３との間隔が広がった他端側に向けて伝搬するから、光信号Ｓ1〜Ｓ3が途中でフィルタ板４３の一端側に向けて戻ることがなく、迷光の影響を少なくすることができる。
【００７５】
さらに、第１〜第３の反射部位で透過されなかった僅かな光信号Ｓ1〜Ｓ3は、鏡板４２とフィルタ板４３との間から迷光となって放射される。このとき、フィルタ板４３の他端側には光信号Ｓ1〜Ｓ3の光路上に位置して吸光部材４８を設けたから、鏡板４２とフィルタ板４３との間から放射された迷光を吸光部材４８によって吸収することができる。特に、本実施の形態では、不要な迷光は全て光信号Ｓ1〜Ｓ3と同じ光路上を通過するから、全ての迷光を吸光部材４８を用いて確実に吸収することができ、迷光が受光器４５〜４７によって受光されるのを防止して信頼性を高めることができる。
【００７６】
また、本実施の形態では、非平行な状態で対向した鏡板４２とフィルタ板４３の２枚だけを用いて複数の光信号Ｓ1〜Ｓ3を分波するから、例えば光信号Ｓ1〜Ｓ3の数だけフィルタ板を用いた場合（例えば３枚のフィルタ板を用いた場合）に比べて光信号Ｓ1〜Ｓ3の光軸を容易に合わせることができる。即ち、多数のフィルタ板を用いて光信号Ｓ1〜Ｓ3を分波したときには、光信号Ｓ1〜Ｓ3が各フィルタ板を反射する毎に光軸がずれる傾向があり、後段側に向うに従って光信号Ｓ1〜Ｓ3の受光が難しくなると共に、迷光の進行方向が予測し難い。これに対し、本実施の形態では、鏡板４２とフィルタ板４３だけで光信号Ｓ1〜Ｓ3を反射すると共に、鏡板４２とフィルタ板４３は基準面となる基台４１Ａの表面に垂直に立設させたから、鏡板４２とフィルタ板４３との間を反射する光信号Ｓ1〜Ｓ3の光路は基台４１Ａの表面に水平に形成することができる。このため、２次元の平面内だけで光信号Ｓ1〜Ｓ3の光軸を容易に合わせることができ、光分波装置の組立てや調整を容易に行うことができると共に、迷光の光路を容易に予想でき、吸光部材４８を用いて迷光を確実に吸収することができる。
【００７７】
なお、前記第４の実施の形態では、鏡板４２とフィルタ板４３との間隔が狭い一端側に発光器４４を配置すると共に、間隔が広い他端側に吸光部材４８を配置し、フィルタ板４３に対する光信号Ｓ1〜Ｓ3の入射角度θ1〜θ3が徐々に大きくなる構成とした。しかし、本発明にこれに限らず、例えば図９に示す変形例のように、鏡板４２とフィルタ板４３との間隔が広い他端側に発光器４４′を配置すると共に、間隔が狭い一端側に吸光部材４８′を配置する構成としてもよい。
【００７８】
この場合、発光器４４′は鏡板４２とフィルタ板４３との間隔が広い他端側から光信号Ｓ1〜Ｓ3を入射するから、光信号Ｓ1〜Ｓ3が鏡板４２とフィルタ板４３との間で反射する毎にフィルタ板４３に対する光信号Ｓ1〜Ｓ3の入射角度θ1〜θ3が徐々に小さくなる。このため、フィルタ板４３は光信号Ｓ1〜Ｓ3の入射角度θ1〜θ3に応じて異なる波長帯の光信号Ｓ1〜Ｓ3を透過させることができるから、第４の実施の形態とほぼ同様に第１〜第３の受光器４５〜４７を用いて第１〜第３の光信号Ｓ1〜Ｓ3をそれぞれ受光することができ、複数の光信号Ｓ1〜Ｓ3を分波することができる。
【００７９】
また、前記第４の実施の形態では、発光器４４は鏡板４２とフィルタ板４３とのうち最初に鏡板４２に対して光信号Ｓ1〜Ｓ3を入射する構成としたが、最初にフィルタ板４３に対して光信号Ｓ1〜Ｓ3を入射する構成としてもよい。
【００８０】
さらに、前記第４の実施の形態では、発光器４４は３つの光信号Ｓ1〜Ｓ3を鏡板４２とフィルタ板４３との間に入射する構成としたが、例えば４つ以上の光信号を鏡板とフィルタ板との間に入射し、これらを分波する構成としてもよい。
【００８１】
また、前記第４の実施の形態では、光信号出射器として発光器４４を用いる構成とした。しかし、本発明はこれに限らず、例えば光信号出射器として、波長多重された光信号を伝送している光ファイバを用いる構成としてもよい。この場合、光ファイバは、第１〜第３の実施の形態による光ファイバ４，２３，３３とほぼ同様に、その端面から光信号を出射するものである。
【図面の簡単な説明】
【００８２】
【図１】第１の実施の形態による光分波装置を示す断面図である。
【図２】図１中のフィルタ板に対する波長と透過率との関係を示す特性線図である。
【図３】第２の実施の形態による光分波装置を示す断面図である。
【図４】図３中のフィルタ板に対する波長と透過率との関係を示す特性線図である。
【図５】第３の実施の形態による光分波装置を示す断面図である。
【図６】図５中のフィルタ板に対する波長と透過率との関係を示す特性線図である。
【図７】第４の実施の形態による光分波装置を示す斜視図である。
【図８】図５中の光分波装置を示す平面図である。
【図９】変形例による光分波装置を示す平面図である。
【符号の説明】
【００８３】
１，４１  ケーシング
２，３，２１，２２，３１，３２，４３  フィルタ板
４，２３，３３  光ファイバ（光信号出射器）
７，２４，３４  発光器
８，９，４５〜４７  受光器
４２  鏡板
４４，４４′  発光器（光信号出射器）
４８，４８′  吸光部材
Ｓ1〜Ｓ3  光信号
【図１】
2005352065.tif 000003
【図２】
2005352065.tif 000004
【図３】
2005352065.tif 000005
【図４】
2005352065.tif 000006
【図５】
2005352065.tif 000007
【図６】
2005352065.tif 000008
【図７】
2005352065.tif 000009
【図８】
2005352065.tif 000010
【図９】
2005352065.tif 000011